(57)【特許請求の範囲】
【請求項１】
診療椅子と、診療用無影灯と、を有する診療装置であって、
波長が１９０ｎｍ乃至２３０ｎｍのいずれかの波長の、または、前記いずれかの波長を含む遠紫外線Ｃ波発生手段を備え、
前記遠紫外線Ｃ波発生手段は、前記診療用無影灯と一体的に、または、前記診療用無影灯の近傍に設けられ、
前記診療用無影灯は、
通常診療時に通常照明照射のみを行う通常診療モードと、
感染あるいは感染の疑いのある患者に対して、通常照明照射と同時に遠紫外線Ｃ波照射の同時照射を可能にする遠紫外線Ｃ波診療モードと、
を切換可能なモード切換手段を備え、
前記診療装置は、歯科用診療装置であって、
前記遠紫外線Ｃ波診療モード時において、
前記診療用無影灯の照射野を診察時に所定の患者の口腔領域に位置付したときに、前記遠紫外線Ｃ波発生手段は、
人体に無害で目に見えない遠紫外線Ｃ波を、少なくとも患者の口腔及び鼻孔を照射可能な照射野を有していること
を特徴とする診療装置。
【請求項２】
前記遠紫外線Ｃ波発生手段は、遠紫外線Ｃ波照射領域を可変可能な遠紫外線Ｃ波照射野可変手段を備えていること
を特徴とする請求項１に記載の診療装置。
【請求項３】
前記遠紫外線Ｃ波発生手段は、照射する方向を角度調整することが可能な遠紫外線Ｃ波照射角度調整機構を備えていること
を特徴とする請求項１または請求項２に記載の診療装置。
【請求項４】
前記診療用無影灯は、サーモカメラを備え、
前記診療装置は、患者の体温が予め設定された所定の体温を超えた場合に報知する報知手段を備え、
前記モード切換手段は、患者の体温が予め設定された所定の体温を超えた場合に、自動的に前記遠紫外線Ｃ波診療モードを選択すること
を特徴とする請求項１に記載の診療装置。
【請求項５】
前記モード切換手段は、更に診療前後に前記診療用無影灯が具備された診療装置の所望の診療器具に遠紫外線Ｃ波照射のみを照射可能にする診療器具殺菌モードを有していること
を特徴とする請求項１に記載の診療装置。
【請求項６】
前記診療用無影灯または前記診療椅子は、患者の有無を検知する患者検知センサを備え、
前記モード切換手段は、前記遠紫外線Ｃ波診療モードと前記診療器具殺菌モードとを自動判別可能にし、前記遠紫外線Ｃ波診療モードであっても、前記患者検知センサが患者を検知しない場合は前記診療器具殺菌モードに切り換えること
を特徴とした請求項５に記載の診療装置。
【請求項７】
前記診療用無影灯または前記診療椅子に患者の有無を検知する患者検知センサを備え、
前記モード切換手段は、前記遠紫外線Ｃ波診療モードと前記診療器具殺菌モードとを自動判別可能にし、前記遠紫外線Ｃ波診療モードであっても、前記患者検知センサが患者を検知しない場合は予め設定された所定の時間経過後に、前記診療器具殺菌モードに切り換えること
を特徴とした請求項５に記載の診療装置。
【請求項８】
前記診療器具殺菌モードにおいて、前記遠紫外線Ｃ波発生手段の照射時間を予め設定可能な遠紫外線Ｃ波の照射時間設定手段を備えていること
を特徴とした請求項５乃至請求項７のいずれか１項に記載の診療装置。
【請求項９】
前記診療器具殺菌モード時において、前記患者検知センサが患者を検知した場合は、前記診療器具殺菌モードでの遠紫外線Ｃ波の照射をできないようにしたこと
を特徴とした請求項６または請求項７に記載の診療装置。
【請求項１０】
患者の口腔と術者の顔面との間の空間の所定位置に配置され、術者から患者の口腔を目視可能な、飛沫の飛散を防止するための飛沫飛散防止手段を備え、
前記飛沫飛散防止手段は、遠紫外線Ｃ波が透過可能な透明な材質から成る遮蔽板で構成され、
前記遮蔽板は、基端部を支柱に軸支し、先端部を前記遮蔽板に連結した飛沫飛散防止手段用アームによって、診療の際に、前記診療椅子に寝た姿勢の患者と、術者との間を仕切るように配置されて、前記診療用無影灯に搭載された前記遠紫外線Ｃ波発生手段から発生する紫外線を前記遮蔽板を通して患者に照射可能にしたこと
を特徴とする請求項１乃至請求項９のいずれか１項に記載の診療装置。
【発明の詳細な説明】
【技術分野】
【０００１】
本発明は、患者の患部を照明する診療用無影灯を備えた診療装置に関する。
【背景技術】
【０００２】
従来、歯科、耳鼻科等の治療を行う場合には、患者の患部を照明する診療用無影灯が使用されている（例えば、特許文献１参照）。この他、その診療用無影灯には、ウイルスや細菌を殺菌する殺菌灯を取り付けたものが知られている（例えば、特許文献２参照）。
【０００３】
特許文献２に記載の無影灯は、無影灯用ランプ（３）の反射ミラー（２）の後側に殺菌灯（１０）を設置している。昼間の診療中は、殺菌灯（１０）で天井を照らすようにして天井付近を浮遊している菌を滅菌している。夜間等の休診中は、無影灯（１）の向きを上側に反転させて、殺菌灯（１０）を下向きにして床面等に付着している菌を滅菌している。
【先行技術文献】
【特許文献】
【０００４】
【特許文献１】特開２００７−１３０３３３号公報
【特許文献２】実開平５−２０７１７号公報
【発明の概要】
【発明が解決しようとする課題】
【０００５】
しかし、特許文献２に記載された無影灯は、昼間の診療中に天井を照らして滅菌し、夜間等の休診中に床面を照らして滅菌するため、治療中の感染患者から飛散して診療器具に付着した飛散物を殺菌することができなかった。
【０００６】
そこで、本発明は、そのような問題点を解消すべく発明されたものであって、治療中の感染患者からの飛散した飛散物、あるいは、治療前後の診療器具に付着した飛散物に対して殺菌することができる診療装置を提供することを課題とする。
【課題を解決するための手段】
【０００７】
前記課題を解決するため、本発明は、診療椅子と、診療用無影灯と、を有する診療装置であって、波長が１９０ｎｍ乃至２３０ｎｍのいずれかの波長の、または、前記いずれかの波長を含む遠紫外線Ｃ波発生手段を備え、前記遠紫外線Ｃ波発生手段は、前記診療用無影灯と一体的に、または、前記診療用無影灯の近傍に設けられ、前記診療用無影灯は、通常診療時に通常照明照射のみを行う通常診療モードと、感染あるいは感染の疑いのある患者に対して、通常照明照射と同時に遠紫外線Ｃ波照射の同時照射を可能にする遠紫外線Ｃ波診療モードと、を切換可能なモード切換手段を備え、前記診療装置は、歯科用診療装置であって、前記遠紫外線Ｃ波診療モード時において、前記診療用無影灯の照射野を診察時に所定の患者の口腔領域に位置付したときに、前記遠紫外線Ｃ波発生手段は、人体に無害で目に見えない遠紫外線Ｃ波を、少なくとも患者の口腔及び鼻孔を照射可能な照射野を有していることを特徴とする。
【発明の効果】
【０００８】
本発明によれば、治療中の感染患者からの飛散した飛散物、あるいは、治療前後の診療器具に付着した飛散物に対して殺菌することができる診療装置を提供することができる。
【図面の簡単な説明】
【０００９】
【図１】本発明の実施形態に係る診療装置の一例を示す概略斜視図である。
【図２】診療用無影灯を示す概略正面図である。
【図３】遠紫外線Ｃ波発生手段の構造を示す説明図である。
【図４Ａ】ダブル誘電体方式の遠紫外線Ｃ波発生の原理を示す説明図である。
【図４Ｂ】遠紫外線Ｃ波の相対強度を示すグラフである。
【図５Ａ】シングル誘電体方式の遠紫外線Ｃ波発生の原理を示す説明図である。
【図５Ｂ】図５ＡのＶ−Ｖ断面図である。
【図６】遠紫外線Ｃ波配光パターン（照射野）及び照明光の配光パターン（照射野）を示す説明図ある。
【図７】診療用無影灯の照射野を診察時に所定の患者の口腔領域に位置付けしたときの状態を示す歯科用治療ユニットの斜視図である。
【図８】診療器具を殺菌する際の遠紫外線Ｃ波の配光パターン（照射野）と、照明光の配光パターン（照射野）とを示す説明図である。
【図９Ａ】（ａ）は通常診療モード（通常照明）のタイミングチャート、（ｂ）はサーモカメラが所定体温を超えたことを検知したときのタイミングチャート、（ｃ）は遠紫外線Ｃ波診療モード（通常照明＋遠紫外線Ｃ波照射）のタイミングチャートである。
【図９Ｂ】（ａ）は遠紫外線Ｃ波診療モード（通常照明＋遠紫外線Ｃ波照射）のタイミングチャート、（ｂ）は患者検知センサのタイミングチャート、（ｃ）は診療器具殺菌モード（遠紫外線Ｃ波照射）のタイミングチャートである。
【図１０】本発明の実施形態に係る診療装置の第１変形例を示す図であり、遠紫外線Ｃ波発生手段の構造を示す概略図である。
【図１１】本発明の実施形態に係る診療装置の第２変形例を示す図であり、診療用無影灯を示す概略斜視図である。
【図１２】本発明の実施形態に係る診療装置の第３変形例を示す図であり、遠紫外線Ｃ波発生手段の設置状態を示す概略正面図である。
【図１３】本発明の実施形態に係る診療装置の第４変形例を示す図であり、遠紫外線Ｃ波発生手段の設置状態を示す概略正面図である。
【図１４】は、本発明の実施形態に係る診療装置の５変形例を示す図であり、歯科用治療ユニットの斜視図である。
【発明を実施するための形態】
【００１０】
次に、図１〜図９Ｂを参照して本発明の実施形態に係る診療装置Ｓの一例を説明する。
なお、便宜上、前後、左右、上下は、図１に示す診療用無影灯２の向いている方向を正面（前）として基準とする。また、なお、以下の説明において、同一の構成のものは、同じ符号を付してその説明を省略する。
【００１１】
＜診療装置＞
図１に示す診療装置Ｓは、歯科、耳鼻科、眼科等の医療の診断・治療を行うのに使用される装置である。診療装置Ｓは、例えば、鼻、眼、口腔Ｍａ（図６参照）等を診療部位とする医療に主に使用される。診療装置Ｓは、少なくとも、患者Ｍ（図６参照）が着座する診療椅子１１と、患者Ｍの口腔Ｍａを明るく照らすための診療用無影灯２と、を有している。
なお、診療装置Ｓは、医療の診断、治療を行う装置であればよく、使用用途、設置場所等は特に限定されない。以下、診療装置Ｓの一例として、診療用無影灯２を備えた歯科用診療装置１００によって、患者Ｍの口腔Ｍａ（図６参照）内を治療する場合を例に挙げて説明する。
【００１２】
＜歯科用診療装置＞
図１に示すように、歯科用診療装置１００は、歯科用治療ユニット１と、スマートフォン６と、を備えて構成されている。
スマートフォン６は、診療用無影灯２を後記する通常診療モードと、遠紫外線Ｃ波診療モードと、診療器具殺菌モードと、に切換可能なモード切換手段６１としての機能を有している。
【００１３】
＜歯科用治療ユニット＞
歯科用治療ユニット１は、診療椅子１１と、診察台１０と、診察台１０に立設された支柱１２と、支柱１２の上部に軸支されたアーム１３と、アーム１３の先端部に取り付けた診療用無影灯２と、ドクターテーブル５と、ドクター用インスツルメントハンガ１５と、アシスタント用インスツルメントハンガ１６と、モード切換手段２６，５１，６１と、サーモカメラ２７と、患者検知センサ１４，２８と、表示部２５と、表示装置（図示省略）と、を備えている。歯科用治療ユニット１は、診察台１０、支柱１２、アーム１３、診療用無影灯２及びドクターテーブル５を有するものであればよく、型式、種類等は特に限定されない。
【００１４】
＜診察台＞
図１に示すように、診察台１０は、支柱１２を有するものであればよく、形状、構造等は特に限定されるものではない。
【００１５】
＜診療椅子＞
診療椅子１１は、患者Ｍ（図６参照）が診療時に着座する医療用椅子である。診療椅子１１は、基台となるベース部１１ａと、患者Ｍが着座する座部１１ｂと、患者Ｍの背部を支えて患者Ｍを所定の診療体位に保持するバックレスト１１ｃと、患者Ｍの頭部を支えるヘッドレスト１１ｄと、患者Ｍの肘を支えるアームレスト１１ｅと、を有している（図６参照）。
【００１６】
ベース部１１ａには、診療椅子１１の他に、診察台１０と、ドクターテーブル５と、ドクター用インスツルメントハンガ１５と、アシスタント用インスツルメントハンガ１６と、が設けられている。
座部１１ｂまたはバックレスト１１ｃには、患者Ｍ（図６参照）の有無を検知する患者検知センサ１４が設けられている。
【００１７】
＜患者検知センサ＞
図１または図２に示す患者検知センサ１４，２８は、患者Ｍの有無を検出するためのセンサである。図１に示す患者検知センサ１４は、患者Ｍが診療椅子１１に着座したときに、患者Ｍの体重によって診療椅子１１やヘッドレスト１１ｄが押される押圧力を検出する圧力センサや、患者Ｍの体重で押されてＯＮする着座スイッチ等から成る。また、図２に示す患者検知センサ２８は、診療用無影灯２に設けられて、患者Ｍが発する人体赤外線を感知するセンサや、光反射型センサ等から成る。
患者検知センサ１４は、図１に示すように、診療椅子１１の座部１１ｂあるいはバックレスト１１ｃに設けられている。
患者検知センサ２８は、図２に示すように、診療用無影灯２に設けられている。
【００１８】
支柱１２は、アーム１３の基端部を回転可能に支持する柱部材である。支柱１２は、例えば、電源等と診療用無影灯２とを電気的に接続するハーネス（図示省略）を挿通した円筒形状の金属製部材によって形成されている。支柱１２の上部には、アーム１３の基端部が回動可能に設置されている。
【００１９】
アーム１３は、支柱１２から診療用無影灯２に延びて配置されて、所定以上の力（予め設定された回転方向の任意の力）を移動方向に加えることで、診療用無影灯２を上下前後左右方向に移動可能に弾性支持する支持力を有するバランスアームから成る。アーム１３は、複数の関節を有する多関節アームから成る。アーム１３は、支柱１２に軸支された第１アーム１３ａと、第１アーム１３ａの先端側に配置された第２アーム１３ｂと、第１アーム１３ａ及び第２アーム１３ｂ内に配線されたハーネス（図示省略）と、第１アーム１３ａと第２アーム１３ｂとの間に設けられたジョイント部１３ｃと、第２アーム１３ｂの先端の設けられた接続部１３ｄと、を備えて成る。なお、アーム１３の構成等は、適宜変更してよい。
【００２０】
＜診療用無影灯＞
図１及び図２に示すように、診療用無影灯２は、患者Ｍ（図６参照）の口腔Ｍａ内、被検査歯（歯牙）、根管内等の被写体を明るく照らすための照明装置である。図２に示すように、診療用無影灯２は、筐体２１と、ジョイント部２２と、左右の把持部２３と、反射ミラー２４と、表示部２５と、モード切換手段２６と、サーモカメラ２７と、患者検知センサ２８と、照射スイッチ２９と、複数（例えば、４つ）の照明用光源３と、遠紫外線Ｃ波発生手段４と、を備えて成る。また、診療用無影灯２は、通常診療モードと、遠紫外線Ｃ波診療モードと、診療器具殺菌モードと、の３種類のモードを有している。
【００２１】
＜通常診療モード＞
通常診療モードは、通常診療時に、患者Ｍ（図６参照）等に対して照明用光源３による通常照明照射のみを行うモードである。
【００２２】
＜遠紫外線Ｃ波診療モード＞
遠紫外線Ｃ波診療モードは、感染あるいは感染の疑いのある患者Ｍ（図６参照）に対して、照明用光源３による通常照明照射と、この通常照明照射と同時に遠紫外線Ｃ波発生手段４による遠紫外線Ｃ波照射を行うモードである。歯科用診療装置１００は、遠紫外線Ｃ波診療モードを有していることで、特に、ウイルスや細菌の感染の疑いがある患者Ｍの場合、診療中に人体に無害な遠紫外線Ｃ波の照射が可能なので、術者や補助者が感染するのを防止することができる。
【００２３】
＜診療器具殺菌モード＞
図１に示すように、診療器具殺菌モードは、更に診療前後に前記診療用無影灯２が具備された診療装置Ｓの所望の診療器具等に遠紫外線Ｃ波照射のみを行うモードである。このため、歯科用診療装置１００は、診療時の前後に患者Ｍからの飛散物が付着する可能性がある診療器具に対して殺菌消毒が可能となるので、術者、補助者、他の患者Ｍに対しての感染を防止することが可能となる（図８参照）。
【００２４】
また、紫外線は、見えない。このため、診療器具を殺菌する際に、始めに、モード切換手段２６は、遠紫外線Ｃ波診療モードにして照明用光源３の照明光の照射野Ｐ１で殺菌位置を目視で確認した後、診療器具殺菌モードに切り換えて、診療器具を殺菌することが好ましい。
【００２５】
ここで、診療器具とは、図１に示す診療椅子１１のヘッドレスト１１ｄと、バックレスト１１ｃと、アームレスト１１ｅと、術者が使用するドクター用インスツルメントハンガ１５と、補助者が使用するアシスタント用インスツルメントハンガ１６と、ドクターテーブル５（診療テーブル）と、操作パネル５４と、操作スイッチ（図示省略）等が含まれる。
【００２６】
＜筐体＞
筐体２１は、診療用無影灯２のケース本体である。筐体２１は、略お椀型をしている。筐体２１の前面には、反射ミラー２４、照明用光源３及び遠紫外線Ｃ波発生手段４が設けられている。筐体２１の後部には、ジョイント部２２が設けられている。筐体２１の左右側面には、把持部２３が突設されている。筐体２１には、多数の接続端子を有する電気接続部（図示省略）が設けられている。
【００２７】
＜ジョイント部＞
ジョイント部２２は、筐体２１をアーム１３の接続部１３ｄに対して上下左右方向に回動自在に連結する自在接手を構成する連結部材である。ジョイント部２２は、基端部が接続部１３ｄに連結され、先端部が筐体２１の後面の左右に連結されている。このため、筐体２１の前面に配置された照明用光源３及び遠紫外線Ｃ波発生手段４は、照射する方向を自由に変えることが可能になっている。
【００２８】
＜把持部＞
図２に示すように把持部２３は、照明用光源３または遠紫外線Ｃ波発生手段４を照射するとき、あるいは、筐体２１をアーム１３に着脱したり、筐体２１の向きを調整したりするときに、持ち手となる部材である。把持部２３は、略Ｕ字状に形成された略棒状の部材から成る。右側の把持部２３の上側には、表示部２５が取り付けられている。右側の把持部２３の下側には、モード切換手段２６が取り付けられている。左側の把持部２３の下側には、サーモカメラ２７と患者検知センサ２８とが取り付けられている。
【００２９】
＜モード切換手段＞
モード切換手段２６，５１，６１は、診療用無影灯２のモードを通常診療モードと、遠紫外線Ｃ波診療モードと、診療器具殺菌モードと、に切り換える切換スイッチ（モード選択スイッチ）である。つまり、モード切換手段２６，５１，６１は、患者Ｍ（図６参照）が健常者である場合に使用する通常診療モードと、患者Ｍがウイルス感染の疑いがある場合に使用する遠紫外線Ｃ波診療モードと、診療器具を殺菌する診療器具殺菌モードと、を有する。このため、モード切換手段２６，５１，６１は、診療用無影灯２の使用時に遠紫外線Ｃ波を照射するか否かの選択が可能である。
なお、三つのモード切換手段２６，５１，６１は、少なくともどれか一つあればよく、どれか一つであっても、複数であってもよい。
【００３０】
図９Ａに示すように、モード切換手段２６，５１，６１は、サーモカメラ２７で患者Ｍ（図６参照）の体温が予め設定された所定の体温（患者Ｍの体温が平熱よりも高い体温、あるいは、例えば、３７．５度）を超えたことを検出した場合に、サーモカメラ２７からの検出信号に基づく制御装置（図示省略）からの駆動信号によって自動的に通常診療モードから遠紫外線Ｃ波診療モードに切り換えるように構成されている。
【００３１】
また、図９Ｂに示すように、モード切換手段２６，５１，６１は、遠紫外線Ｃ波診療モードと診療器具殺菌モードとを自動判別可能にし、遠紫外線Ｃ波診療モードであっても、患者検知センサ１４，３３が患者Ｍ（図６参照）を検知しない場合は予め設定された所定時間ｔ１経過後に、診療器具殺菌モードに切り換えて、設定された遠紫外線Ｃ波を所定時間ｔ２照射する。
【００３２】
図２に示すように、モード切換手段２６は、診療用無影灯２の把持部２３の下端部に設けられた切換スイッチから成る。モード切換手段２６は、その切換機構は特に限定されず、例えば、ロータリー方式でも、モーメンタリー方式でもよい。
なお、モード切換手段２６がモーメンタリー方式の場合は、モード切換手段２６のスイッチボタンを押している時だけＯＮになり、スイッチボタンから手を離すと自動復帰（ＯＦＦ状態に戻る）する動作方式なので、どのモードになっているか判るように、診療用無影灯２やドクターテーブル５に表示部２５，５５を設けてモードを表示する表示機能を設けることが望ましい。
【００３３】
＜モードの自動判別機能＞
図９Ａのように患者Ｍの体温によって通常診療モードと遠紫外線Ｃ波診療モードを切り換えたり、図９Ｂのように患者Ｍの検知によって遠紫外線Ｃ波診療モードと診療器具殺菌モードを切り換えたりするモードの自動判別機能を設ける場合、モード切換手段２６，５１，６１は、ロータリー方式ではなく、モーメンタリー方式のスイッチを使用し、診療用無影灯２やドクターテーブル５に設けた表示部２５，５５にモードの状態を表示することが望ましい。
【００３４】
例えば、歯科用診療装置１００の電源が投入された状態では、表示部２５，５５に通常診療モードと表示され、モード切換手段２６，５１，６１のスイッチを１回押すと遠紫外線Ｃ波診療モードに切り換わり、遠紫外線Ｃ波診療モードと表示され、更にもう１回押すと診療器具殺菌モードに切り換わり診療器具殺菌モードと表示される。モード表示は、表示名を変えてもよいし、文字でなく色や記号で表示してもよい。
【００３５】
ここで図９Ａのように通常診療モード時に、体温が所定の体温より高い患者Ｍが診療椅子１１に着座した場合は、モードは遠紫外線Ｃ波診療モードに切り換わり、表示部２５，５５に遠紫外線Ｃ波診療モードと表示される。
【００３６】
また、図９Ｂのように、遠紫外線Ｃ波診療モード時に患者Ｍがいない場合は、所定時間ｔ１後に診療器具殺菌モードに切り換わり、表示部２５，５５には、診療器具殺菌モードと表示される。このとき、所定時間ｔ１の間、診療用無影灯２は点灯している。
【００３７】
診療用無影灯２が点灯している間に、殺菌したい診療器具に診療用無影灯２の照射野Ｐ１を位置付けすることで、目に見えない遠紫外線Ｃ波の照射野Ｐ２を殺菌したい診療器具に照射することができる（図８参照）。その後、予め設定してある時間ｔ２の間、遠紫外線Ｃ波発生手段４は、遠紫外線Ｃ波を照射し自動的に照射は停止する。
【００３８】
また、診療器具殺菌モード時に、患者Ｍが診療椅子１１に着座して患者Ｍを検出した場合は、診療器具殺菌モードでの照射を停止する。この場合、患者Ｍの体温が所定の体温を超えていない場合は表示部２５，５５に通常診療モードと表示して、通常診療モードに切り換えたり、患者Ｍの体温が所定の体温を超えている場合は、表示部２５，５５に遠紫外線Ｃ波診療モードと表示し、遠紫外線Ｃ波診療モードに切り換えてもよい。
【００３９】
さらに、診療器具殺菌モード時に、患者Ｍが診療椅子１１に着座しないように、新たな患者Ｍが診療椅子１１に着座する場合は、通常診療モードになるようにしてもよい。
通常、歯科用診療装置１００では、患者導入時や退出時に、診療椅子１１を患者Ｍが導入、あるいは、退出し易いように最も低い位置に移動するためのリセットスイッチ（図示しない）が診療椅子１１やドクターテーブル５に用意されている。
このリセットスイッチに連動してリセットスイッチが押されたときは、通常診療モードになるようにしてもよい。また、歯科用診療装置１００の電源が投入されたときは、通常診療モードになるようにしてもよい。
【００４０】
図１に示すように、モード切換手段５１は、ドクターテーブル５の操作パネル５４に設けられたタッチスイッチから成る。
モード切換手段６１は、スマートフォン６の操作画面に設けられている。
【００４１】
＜サーモカメラ＞
サーモカメラ２７は、被撮影体である患者Ｍ（図６参照）から出ている赤外線放射エネルギーを検出して可視化し、表示部２５，５５に温度測定、温度計測及び温度分布の画像表示を行なう赤外線カメラ装置である。このため、サーモカメラ２７は、非接触で発熱者を検知が可能であり、術者の二次感染のリスクを防止するのに役立つ。
【００４２】
＜表示部＞
前記したように表示部２５，５５は、診療用無影灯２の現在のモードが通常診療モードと、遠紫外線Ｃ波診療モード、診療器具殺菌モードとの三つのうちのどれであるかを表示する表示器である。表示部２５，５５は、例えば、液晶表示装置、あるいは、ＬＥＤ表示装置から成る。
【００４３】
＜照射スイッチ＞
照射スイッチ２９は、診療用無影灯２を点灯、消灯するためのスイッチである。照射スイッチ２９は、例えば、筐体２１の中央部下面に設置されている。照射スイッチ２９は、手をかざすことで、照明用光源３（遠紫外線Ｃ波の照射を含む）の駆動制御を行う非接触スイッチ（近接センサ）から成る。照射スイッチ２９は、メカニカルなトグルスイッチであってもよい。また、照射スイッチ２９は、ドクターテーブル５の操作パネル５４からの操作でＯＮ，ＯＦＦするスイッチであってもよい。
【００４４】
＜照明用光源＞
図２に示す照明用光源３は、例えば、ランプあるいはＬＥＤの後ろ側に反射ミラー用の拡散板を設置し、面光源として影を生じないように被写体の周囲に所望の照射野（光パターン）を設ける無影灯から成る（例えば、特開２０１４−５３１６４号公報参照）。照明用光源３は、不図示の支持体を介して支持部に、回動機構によって回動自在に取り付けられている。このため、照明用光源３によって照明される照明位置は、自由に調整することができるようになっている。歯科用の通常照明光の照明用光源３は、一般に、色温度３６００°Ｋ〜６０００°Ｋ（ケルビン温度）の白色光が使用されている。照明用光源３は、診療用無影灯２に遠紫外線Ｃ波発生手段４と一体に構成する場合は、通常照明の中央に遠紫外線Ｃ波発生手段４を設け直接集光手段を用いて患者Ｍ（図６参照）に照射するようにする。
なお、照明用光源３は、無影灯であればよく、影が生じないように複数のＬＥＤを設け、前方に照射野形状のスリット及びレンズを配置して照射野を設けた周知の無影灯であってもよい。
【００４５】
＜遠紫外線Ｃ波発生手段＞
遠紫外線Ｃ波発生手段４は、波長が１９０ｎｍ乃至２３０ｎｍのいずれかの波長の、または、前記いずれかの波長を含む遠紫外線Ｃ波を発生する装置である。遠紫外線Ｃ波発生手段４は、照明用光源３がある診療用無影灯２に一体的に設けられている。このため、遠紫外線Ｃ波発生手段４は、治療中の感染した患者Ｍ（図６参照）からの飛散あるいは治療前後の診療器具に付着した飛散物に対して、皮膚の細胞を透過せず、人体に無害な遠紫外線Ｃ波を使って殺菌することが可能になる。遠紫外線Ｃ波発生手段４のその波長域を発光する発光源には、エキシマランプ４１と、紫外線ＬＥＤとがあるが、以下、エキシマランプ４１を使用した場合の一例を説明する。
【００４６】
また、図６に示すように、遠紫外線Ｃ波診療モード時において、診療用無影灯２（図２参照）の照射野Ｐ１（光の照射パターン）を診察時に所定の患者Ｍの口腔領域に位置付したときに、遠紫外線Ｃ波発生手段４は、少なくとも飛散物の発生源である患者Ｍの口腔Ｍａ及び鼻孔Ｍｂに遠紫外線Ｃ波を照射可能な照射野Ｐ２を有している。
【００４７】
照射野Ｐ１は、患者Ｍの口腔領域全体を網羅可能なように位置付けしたときに、所定の大きさの長方形の照射パターンを有しており、このとき、照明用光源３と口腔領域までの距離がＬ１になるように予め定められている。
また、遠紫外線Ｃ波発生手段４の照射野Ｐ２は、照明用光源３と口腔領域までの距離がＬ１で、照射野Ｐ１を患者Ｍの口腔全体を網羅可能な位置に位置付けしたときに、患者Ｍの口腔Ｍａ及び鼻孔Ｍｂに遠紫外線Ｃ波を照射可能な大きさに、また、照射角度になるように予め調整されている。
【００４８】
次に、図３を参照して遠紫外線Ｃ波発生手段４の構造を説明する。図３に示すように、遠紫外線Ｃ波発生手段４は、交流電源ＡＣと、エキシマランプ４１と、ガイドマスク４２と、バンドパスフィルタ４３と、コーン４４と、を備えて構成されている。
【００４９】
＜エキシマランプ＞
エキシマランプ４１は、例えば、波長が１９３ｎｍの場合はＡｒＦ（アルゴン・フッ素）エキシマランプ、波長が２０７ｎｍの場合はＫｒＢｒ（クリプトン・臭素）エキシマランプ、波長が２２２ｎｍの場合はＫｒＣｌ（クリプトン・塩素）エキシマランプ等がある。これらの中で、新型コロナウイルス（正式名称は「ＳＡＲＳ−Ｃｏｖ−２」）を最も短時間で死滅させるには、波長２２２ｎｍのＫｒＣｌ（クリプトン・塩素）エキシマランプが最も好ましい。
【００５０】
遠紫外線Ｃ波発生手段４には、波長域を照射可能なエキシマランプ４１、あるいは、紫外線ＬＥＤが用いられる。エキシマランプ４１には、図４Ａに示すダブル誘電体方式（矩形型）のエキシマランプ４１Ａと、図５Ａ及び図５Ｂに示すシングル誘電体方式（円筒型）のエキシマランプ４１Ｂとがあり、そのどちらかを使用する。
【００５１】
＜ダブル誘電体方式のエキシマランプ＞
図４Ａに示すように、ダブル誘電体方式のエキシマランプ４１Ａは、上側から順に金属電極４１Ａａと、誘電体４１Ａｂと、放電プラズマが発生する放電空間４１Ａｃと、誘電体４１Ａｄと、金属網電極４１Ａｅとを備えて構成されて、光照射４１Ａｆを発する。
【００５２】
二つの誘電体４１Ａｂ，４１Ａｄは、放電空間４１Ａｃを介して平行に配置された板状の石英ガラスから成る。
放電空間４１Ａｃには、放電用ガスが充填されている。放電用ガスは、希ガスとハロゲンガスの混合ガスを用いて遠紫外線Ｃ波を発光させることができる。希ガスは、ＡｒＦ（１９３ｎｍ）、ＫｒＢｒ（２０７ｎｍ）、ＫｒＣｌ（２２２ｎｍ）がある。新型コロナウイルスを最も短時間で死滅させる希ガスは、図４Ｂに示すように、波長２２２ｎｍのＫｒＣｌ（クリプトン・塩素）エキシマランプの相対強度が強く最も好ましい。
【００５３】
金属電極４１Ａａは、誘電体４１Ａｂの上側に配置されている。金属電極４１Ａａと金属網電極４１Ａｅとの電極間には、高周波、高電圧（数Ｈｚ〜数ＭＨｚ、数ｋＶ）が印加される。この電圧の印加に伴って、誘電体４１Ａｂ，４１Ａｄの放電空間４１Ａｃ側の表面には、プラス、マイナスの電位が誘電されて、表面電位差が放電破壊電圧に達すると、放電空間４１Ａｃ内で放電し、放電プラズマが発生させる。そして、エキシマランプ４１Ａは、放電時の電子と封入ガス分子との衝突によってエキシマ発光する。
【００５４】
＜シングル誘電体方式のエキシマランプ＞
図５Ａ及び５Ｂに示すように、シングル誘電体方式のエキシマランプ４１Ｂは、誘導体４１Ｂａと、外部電極４１Ｂｂと、内部電極４１Ｂｃと、放電空間４１Ｂｄと、を備えて構成されて、光照射４１Ｂｅを発する。
【００５５】
誘導体４１Ｂａは、円筒状の石英ガラスから成る。
外部電極４１Ｂｂは、誘導体４１Ｂａの外側表面に設けられた棒状の電極から成る。
内部電極４１Ｂｃは、誘導体４１Ｂａの中心線上に配置された棒状の電極から成る。
放電空間４１Ｂｄは、円筒状の誘導体４１Ｂａ内の空間である。放電空間４１Ｂｄ内には、ガス体が注入されて放電プラズマが発生される。
そして、放電空間４１Ｂｄ内の内部電極４１Ｂｃと、放電管である誘導体４１Ｂａ外の外部電極４１Ｂｂと、の間に低い印加電圧を加えると、誘導体４１Ｂａ内には、放電プラズマが発生し、誘導体４１Ｂａ外には、遠紫外線Ｃ波が光放射される。
【００５６】
＜ガイドマスク、コーン＞
図３に示すように、ガイドマスク４２は、照射パターン形状を決めるための部材である。
バンドパスフィルタ４３は、例えば、希ガスがＫｒＣｌ（クリプトン・塩素）の場合は波長２２２ｎｍの遠紫外線Ｃ波のみを通過させるフィルタである。
コーン４４は、遠紫外線Ｃ波の照射の広がりを抑制するための円筒形の部材である。コーン４４の内壁は、遠紫外線Ｃ波を反射する紫外線反射膜が塗布されて、患者Ｍ（図６参照）等を照射する遠紫外線Ｃ波のエルルギーを効率よく伝達できるようにしている。
【００５７】
遠紫外線Ｃ波発生手段４は、例えば、遠紫外線Ｃ波の相対強度を示すグラフ（図４Ｂ）の希ガスがＫｒＣｌ（クリプトン・塩素）の特性に於いて、前述のようにバンドパスフィルタ４３を用いてピーク波長の２２２ｎｍの特定波長のみを通過させるようにしてもよいし、２３０ｎｍを超える波長を通過させないようなバンドパスフィルタ４３を用いてもよい。この場合は、概ね２１５ｎｍ〜２３０ｎｍの特定範囲の遠紫外線Ｃ波を通過させる遠紫外線Ｃ波発生手段４とすることもできる。
このように遠紫外線Ｃ波発生手段４は、希ガスの選択や、バンドパスフィルタ４３の波長の通過領域を抽出することで、波長が１９０ｎｍ乃至２３０ｎｍの範囲で特定波長のみを発生するようにしてもよいし、波長が１９０ｎｍ乃至２３０ｎｍのいずれかの特定範囲の波長を発生するようにしてもよい。
【００５８】
なお、遠紫外線Ｃ波の照射部は、紫外線反射膜を塗布した反射ミラー２４に遠紫外線Ｃ波を反射させて患者Ｍ（図６参照）に照射させるようにしてもよい。
また、遠紫外線Ｃ波の照射部は、遠紫外線Ｃ波を反射させずに、紫外線透過可能な石英レンズを使って集光して患者Ｍに直接照射してもよい。
また、遠紫外線Ｃ波の照射部は、レンズを設けずにコーン４４を使って照射野を絞って照射してもよい。
さらにまた、コーン４４内面に無電解ニッケルメッキ加工などの無反射処理を行ってコーン４４内の乱反射を抑え遠紫外線Ｃ波の照射野Ｐ２の指向性を高めてもよい。
【００５９】
＜ドクターテーブル＞
図１に示すように、ドクターテーブル５は、前記したモード切換手段５１と、報知手段５２と、照射時間設定手段５３と、操作パネル５４と、表示部５５と、を有している。ドクターテーブル５は、診療椅子１１のベース部１１ａに設けられて、ドクター用インスツルメントハンガ１５及び診療椅子１１の近隣に配置されている。
【００６０】
＜報知手段５２＞
報知手段５２は、患者Ｍ（図６参照）の体温が予め設定された所定の体温を超えた場合に報知して術者等に知らせるための報知装置である。報知手段５２は、音、音声、警告灯表示、表示画面への警告表示等によって術者（操作者）の五感に感じるものであればよく、その構造や報知方法は特に限定されない。
【００６１】
＜照射時間設定手段＞
照射時間設定手段５３は、遠紫外線Ｃ波を照射する時間を設定するための入力装置である。照射時間設定手段５３による時間設定は、ドクターテーブル５の操作パネル５４に予め設定されている複数の設定時間から任意の設定時間を選択する方法、あるいは、デジタル時間を操作キーにより入力する方法である。
【００６２】
＜操作パネル＞
操作パネル５４は、照射時間設定手段５３の照射時間を設定するための操作等を行う複数のタッチスイッチ（図示省略）を有する液晶パネル部である。操作パネル５４は、ドクターテーブル５に内設された制御装置（図示省略）に電気的に接続されて、タッチスイッチ（図示省略）の操作信号が制御装置に入力されて、照明用光源３及び遠紫外線Ｃ波発生手段４を駆動させる。
【００６３】
＜ドクター用インスツルメントハンガ＞
ドクター用インスツルメントハンガ１５は、術者が使用する種々のインスツルメントが係止される箇所である。
【００６４】
＜アシスタント用インスツルメントハンガ＞
アシスタント用インスツルメントハンガ１６は、補助者が使用する種々のインスツルメントが係止される箇所である。
【００６５】
＜制御装置＞
制御装置（図示省略）は、歯科用診療装置１００の動作を制御する装置である。制御装置は、モード切換手段２６、サーモカメラ２７、患者検知センサ２８、ドクターテーブル５等からの駆動信号を受けて、各手段を制御して、主に、表示部２５,５５や、照明用光源３や遠紫外線Ｃ波発生手段４を駆動させる制御を実行させる。制御装置は、例えば、ドクターテーブル５に設けられている。制御装置は、診療用無影灯２、不図示の液晶表示装置及び電源（図示省略）に電気的に接続されている。
【００６６】
［作用効果］
次に、診療装置Ｓ（歯科用診療装置１００）の作用効果を説明する。
【００６７】
このように、本発明は、図１または図２に示すように、診療椅子１１と、診療用無影灯２と、を有する診療装置Ｓであって、波長が１９０ｎｍ乃至２３０ｎｍのいずれかの波長の、または、前記いずれかの波長を含む遠紫外線Ｃ波発生手段４を備え、遠紫外線Ｃ波発生手段４は、診療用無影灯２と一体的に、または、診療用無影灯２の近傍に設けられている。
【００６８】
かかる構成によれば、本発明の診療装置Ｓは、波長が１９０ｎｍ乃至２３０ｎｍのいずれかの波長の、または、前記いずれかの波長を含む遠紫外線Ｃ波発生手段４を有している。このため、遠紫外線Ｃ波発生手段４は、ウイルス等に感染した患者Ｍ（図６参照）からの飛散、あるいは、治療前後の診療器具に付着した飛散物に対して、人体に安全な遠紫外線Ｃ波を使って殺菌することが可能になる。また、遠紫外線Ｃ波発生手段４は、診療用無影灯２と一体的に、または、診療用無影灯２の近傍に配置されているので、照明用光源３で患者Ｍの患部や、診療器具を照明するのと同様に、遠紫外線Ｃ波を照射して殺菌することができる。
【００６９】
また、図１または図２に示すように、診療用無影灯２は、通常診療時に通常照明照射のみを行う通常診療モードと、感染あるいは感染の疑いのある患者Ｍ（図６参照）に対して、通常照明照射と同時に遠紫外線Ｃ波照射の同時照射を可能にする遠紫外線Ｃ波診療モードと、を切換可能なモード切換手段２６，５１，６１を備えている。
【００７０】
かかる構成によれば、診療用無影灯２は、通常照明照射のみを行う通常診療モードと、通常照明照射と同時に遠紫外線Ｃ波照射の同時照射を行う遠紫外線Ｃ波診療モードと、を切換可能なモード切換手段２６，５１，６１を備えている。このため、診療用無影灯２は、患者Ｍ（図６参照）が健常者である場合と、ウイルス感染の疑いがある場合とで、無影灯使用時に遠紫外線Ｃ波を照射するか否かの選択が可能である。特に、感染疑いがある患者Ｍの場合は、診療中に人体に無害な遠紫外線Ｃ波の照射が可能なので、術者や補助者に対して感染を防止することができる。
【００７１】
また、図６または図７に示すように、診療装置Ｓは、歯科用診療装置１００であって、遠紫外線Ｃ波診療モード時において、診療用無影灯２の照射野Ｐ１を診察時に所定の患者Ｍの口腔領域に位置付したときに、遠紫外線Ｃ波発生手段４は、少なくとも患者Ｍの口腔Ｍａ及び鼻孔Ｍｂを照射可能な照射野Ｐ２を有している。
【００７２】
かかる構成によれば、歯科用診療装置１００は、遠紫外線Ｃ波診療モード時に、通常照明照射の照射野（光の照射パターン）を所定配置するだけで、患者Ｍの飛散物の発生源である鼻孔Ｍｂ及び口腔Ｍａに自動的に遠紫外線Ｃ波を照射することができる。このため、遠紫外線Ｃ波発生手段４は、照射する位置方向を決めるための位置付けする作業の手間を削減させることができる。
【００７３】
また、図１または図２に示すように、診療用無影灯２は、サーモカメラ２７を備え、診療装置Ｓは、患者Ｍ（図６参照）の体温が予め設定された所定の体温を超えた場合に報知する報知手段５２を備え、モード切換手段２６，５１，６１は、患者Ｍの体温が予め設定された所定の体温を超えた場合に、自動的に前記遠紫外線Ｃ波診療モードを選択する。
【００７４】
かかる構成によれば、報知手段５２は、患者Ｍ（図６参照）の体温が所定の体温よりも高い場合（患者Ｍの体温が平熱よりも高い体温の場合、あるいは、例えは、体温が３７．５度以上の場合）、患者Ｍの体温が高いことを自動的に術者等に知らせることができる。また、モード切換手段２６，５１，６１は、図９Ａに示すように、患者Ｍの体温が平熱よりも高い場合、自動的に遠紫外線Ｃ波診療モードに切り換えることが可能になり、安全で効率的よく診療を行うことが可能となる。
【００７５】
また、図１及び図２に示すように、モード切換手段２６，５１，６１は、更に診療前後に前記診療用無影灯２が具備された診療装置Ｓの所望の診療器具に遠紫外線Ｃ波照射のみを照射可能にする診療器具殺菌モードを有している。
【００７６】
かかる構成によれば、更に診療前後に患者Ｍ（図６参照）からの飛散物が付着する可能性がある診療器具に殺菌消毒が可能となり、術者、補助者や、他の患者Ｍに対しての感染を防止することができる。モード切換手段２６，５１，６１は、診療器具殺菌モードを有することで、３種類のモードを容易に切り換えることができる。また、紫外線は、見えない。このため、図８に示すように、診療器具を殺菌する際に、始めに、モード切換手段２６，５１，６１は、遠紫外線Ｃ波診療モードにして照明光の照射野Ｐ１で殺菌位置を目視で確認した後、診療器具殺菌モードに切り換えて照射野Ｐ１よりも広い遠紫外線Ｃ波の照射野Ｐ２で、診療器具を殺菌することが可能である。
【００７７】
また、図１または図２に示すように、診療用無影灯２または診療椅子１１は、患者Ｍ（図６参照）の有無を検知する患者検知センサ１４，２８を備え、モード切換手段２６，５１，６１は、遠紫外線Ｃ波診療モードと診療器具殺菌モードとを自動判別可能にし、遠紫外線Ｃ波診療モードであっても、患者検知センサ１４，２８が患者Ｍを検知しない場合は診療器具殺菌モードに切り換える。
【００７８】
かかる構成によれば、診療用無影灯２または診療椅子１１は、患者Ｍ（図６参照）の有無検出でモード選択の動作が減るので、術者（操作者）の感染リスクを更に減らすことができる。また、モード切換手段２６，５１，６１は、通常診療モードと、遠紫外線Ｃ波診療モードと、の２選択にすることが可能である。
【００７９】
また、図１、図２あるいは図９Ｂに示すように、診療用無影灯２または診療椅子１１に患者Ｍ（図６参照）の有無を検知する患者検知センサ１４，２８を備え、モード切換手段２６，５１，６１は、遠紫外線Ｃ波診療モードと診療器具殺菌モードとを自動判別可能にし、遠紫外線Ｃ波診療モードであっても、患者検知センサ１４，２８が患者Ｍを検知しない場合は予め設定された所定の時間経過後に、診療器具殺菌モードに切り換える。
【００８０】
かかる構成によれば、診療器具を殺菌する際に、遠紫外線Ｃ波は目に見えないため、予め遠紫外線Ｃ波診療モードの診療用照明の照射野で殺菌する位置を定めておけば、所定時間経過後に診療用照明が消えて診療器具殺菌モードに切り換わるので、診療器具の殺菌の際に位置決めが容易である。モード切換手段２６，５１，６１は、通常診療モードと、遠紫外線Ｃ波診療モードと、の２選択にすることが可能である。
【００８１】
また、図１に示すように、診療器具殺菌モードにおいて、遠紫外線Ｃ波発生手段４の照射時間を予め設定可能な遠紫外線Ｃ波の照射時間設定手段５３を備えている。
【００８２】
かかる構成によれば、歯科用診療装置１００は、遠紫外線Ｃ波の照射時間設定手段５３を備えていることで、開始時のみスイッチ操作することで自動停止できるので照射時間を気にしなくてよい。
【００８３】
また、診療器具殺菌モード時において、患者検知センサ１４，２８が患者Ｍを検知した場合は、診療器具殺菌モードでの遠紫外線Ｃ波の照射をできないようにした。
【００８４】
かかる構成によれば、診療器具殺菌モード時に誤って健常者である患者Ｍを導入した場合には、遠紫外線Ｃ波の照射をできなくすることができる。また、患者Ｍの体温が所定の体温を超えていない場合は、表示部２５，５５に通常診療モードと表示して、通常診療モードに切り換えたり、患者Ｍの体温が所定の体温を超えている場合は、表示部２５，５５に遠紫外線Ｃ波診療モードと表示して、遠紫外線Ｃ波診療モードに切り換えることも可能である。
【００８５】
［第１変形例］
なお、本発明は、前記実施形態に限定されるものではなく、その技術的思想の範囲内で種々の改造及び変更が可能であり、本発明はこれら改造及び変更された発明にも及ぶことは勿論である。
【００８６】
図１０は、本発明の実施形態に係る診療装置Ｓ１の第１変形例を示す図であり、遠紫外線Ｃ波発生手段の構造を示す概略図である。
【００８７】
また、図１０に示すように、遠紫外線Ｃ波発生手段４Ａは、遠紫外線Ｃ波照射領域Ａ１を可変可能な遠紫外線Ｃ波照射野可変手段４５Ａを備えるものであってもよい。
【００８８】
この場合、遠紫外線Ｃ波発生手段４Ａは、遠紫外線Ｃ波を発生する遠紫外線Ｃ波発光源４０Ａと、ストッパを設けたガイドマスク４２Ａと、ハンドパスフィルタ４３Ａと、遠紫外線Ｃ波照射野可変手段４５Ａと、を備えて成る。
遠紫外線Ｃ波発生手段４Ａは、遠紫外線Ｃ波を照射可能なＵＶランプ（エキシマランプ）あるいはＬＥＤの手前に、焦点可変可能な複数の石英レンズ４５Ａａから成るレンズ群で構成された遠紫外線Ｃ波照射野可変手段４５Ａを設け、レンズ群の位置を調整することにより、アウトフォーカス領域を可変可能にする。
【００８９】
かかる構成によれば、遠紫外線Ｃ波発生手段４Ａは、遠紫外線Ｃ波照射野可変手段４５Ａを備えているので、石英レンズ４５Ａａを移動させることで、遠紫外線Ｃ波照射領域Ａ１の大きさを変えることができる。このため、遠紫外線Ｃ波発生手段４Ａは、照射対象に対して照射野Ｐ２を任意な範囲に調整することが可能であるので、殺菌する対象物に応じて遠紫外線Ｃ波照射領域Ａ１を適宜に可変することができる。
【００９０】
この他、遠紫外線Ｃ波照射野可変手段４５Ａは、図１０に示すように、１枚のレンズを移動させることでアウトフォーカス領域を可変してもよい。
また、石英レンズ４５Ａａは、紫外線透過可能な材質を使用する。
また、遠紫外線Ｃ波発生手段４Ａは、レンズを使わずに、コーンの長さを可変可能にした二重筒構造にして、照射の広がりを抑えるようにした装置であってもよい。
また、診療器具殺菌モードの場合は、診療器具の大きさに合わせて照射野Ｐ２を可変させることが可能である。例えば、左右のアームレスト１１ｅ（図１参照）も殺菌する場合は、照射野Ｐ２を広げればよい。また、ヘッドレスト１１ｄ（図１参照）のみを照射する場合は、照射野Ｐ２を狭くすればよい。なお、照射野Ｐ２は、診療用無影灯２の位置を照射部位に近付けたり、遠ざけたりすることでも可能である。
【００９１】
［第２変形例］
図１１は、本発明の実施形態に係る診療装置Ｓ２の第２変形例を示す図であり、診療用無影灯２Ａを示す概略斜視図である。
【００９２】
図１１に示すように、遠紫外線Ｃ波発生手段４Ｂは、照射する方向を角度調整することが可能な遠紫外線Ｃ波照射角度調整機構４６Ｂを備えたものであってもよい。
この場合、遠紫外線Ｃ波照射角度調整機構４６Ｂは、遠紫外線Ｃ波発生手段４Ｂの照射する方向に対して、角度θ１上下左右方向に回動可能に筐体２１に支持して、照射する方向を変更可能にしている。遠紫外線Ｃ波照射角度調整機構４６Ｂは、例えば、紫外線発光部を中心として角度調整可能なように回動して任意の位置に固定できるようにしたネジ機構を備えて成る。
【００９３】
かかる構成によれば、遠紫外線Ｃ波発生手段４Ｂは、遠紫外線Ｃ波照射角度調整機構４６Ｂを備えていることで、遠紫外線Ｃ波を照射してウイルス等を殺菌した箇所を、アーム１３やジョイント部２２（図１参照）を動かすことなく、自由に調整することができる。このため、遠紫外線Ｃ波発生手段４Ｂで患者Ｍ（図６参照）を照射する遠紫外線照射領域は、患者Ｍの口腔領域よりも上方にあるので、遠紫外線Ｃ波照射角度調整機構４６Ｂで角度を調節することで、口腔Ｍａ及び鼻孔Ｍｂを照射可能になる（図６参照）。
【００９４】
［第３変形例］
図１２は、本発明の実施形態に係る診療装置Ｓ３の第３変形例を示す図であり、遠紫外線Ｃ波発生手段４Ｃの設置状態を示す概略正面図である。
【００９５】
前記実施形態では、図２に示すように、遠紫外線Ｃ波発生手段４の一例として、診療用無影灯２に一体的に設けた場合を説明したが、遠紫外線Ｃ波発生手段４はこれに限定されるものではない。
図１２に示すように、遠紫外線Ｃ波発生手段４Ｃは、診療用無影灯２Ｃの近傍に設けたものであってもよい。
【００９６】
この場合、診療用無影灯２Ｃは、実施形態の診療用無影灯２の遠紫外線Ｃ波発生手段４を取り外したものであって、４つの照明用光源３と、筐体２１と、ジョイント部２２と、把持部２３と、反射ミラー２４と、を有している（図２参照）。
遠紫外線Ｃ波発生手段４Ｃは、例えば、矩形型エキシマランプから成る遠紫外線Ｃ波発光源４０Ｃと、遠紫外線Ｃ波照射野可変手段またはコーン４５Ｃと、を備えている。
【００９７】
かかる構成によれば、遠紫外線Ｃ波発生手段４Ｃは、診療用無影灯２Ｃの近傍に設けたので、診療用無影灯２Ｃと遠紫外線Ｃ波発生手段４Ｃとが別体になっている。このため、遠紫外線Ｃ波発生手段４Ｃは、照明用光源３のみを備えた一般的な診療用無影灯２Ｃの周辺に、適宜配置して、通常の無影灯及び殺菌用装置として使用することができる。
【００９８】
［第４変形例］
図１３は、本発明の実施形態に係る診療装置Ｓ４の第４変形例を示す図であり、遠紫外線Ｃ波発生手段４Ｄの設置状態を示す概略正面図である。
【００９９】
前記第３変形例の遠紫外線Ｃ波発生手段４Ｃ（図１２参照）は、一例であって、図１３に示すように、円筒型エキシマランプをから成る遠紫外線Ｃ波発光源４０Ｄを有する遠紫外線Ｃ波発生手段４Ｄであってもよく、その構造は特に限定されない。
遠紫外線Ｃ波発生手段４Ｄは、遠紫外線Ｃ波発光源４０Ｄと、放物面状（湾曲面状）の反射面を有するミラー４７Ｄと、を備えて構成されている。このように、診療用無影灯２Ｄの近傍に遠紫外線Ｃ波発生手段４Ｄを設ける場合は、照明用光源３の照明光とは別のミラー４７Ｄを設けてもよいし、直接集光手段を用いて患者Ｍ（図６参照）に照射するように配置してもよい。
ミラー４７Ｄの反射面には、紫外線反射膜が設けられている。
【０１００】
［第５変形例］
図１４は、本発明の実施形態に係る診療装置Ｓ５の５変形例を示す図であり、歯科用治療ユニット１Ｅの斜視図である。
【０１０１】
図１４に示すように、診療装置Ｓ５は、患者Ｍの口腔Ｍａと術者の顔面との間の空間の所定位置に配置され、術者から患者Ｍの口腔Ｍａを目視可能な、飛沫の飛散を防止するための飛沫飛散防止手段１９を備え、飛沫飛散防止手段１９は、遠紫外線Ｃ波が透過可能な透明な材質から成る遮蔽板１９１で構成され、診療用無影灯２に搭載された遠紫外線Ｃ波発生手段４から発生する紫外線を遮蔽板１９１を通して患者Ｍに照射可能にしてもよい（図６参照）。
【０１０２】
この場合、飛沫飛散防止手段１９は、術者から患者Ｍの口腔Ｍａを目視可能な材質であって、遠紫外線Ｃ波が透過可能な透明な材質の部材から成る遮蔽板１９１である（図６参照）。
遮蔽板１９１は、遠紫外線Ｃ波が透過可能な透明な材質の板材から成る。遮蔽板１９１は、例えば、サイトップ（登録商標）、石英ガラス、ポリエチレン、アクリル、フッ素樹脂等によって形成されている。遮蔽板１９１は、基端部を支柱１２に軸支し、先端部を遮蔽板１９１に連結した飛沫飛散防止手段用アーム１８によって、略水平に保持されている。遮蔽板１９１は、飛沫飛散防止手段用アーム１８によって、診療の際に、診療椅子１１に寝た姿勢の患者Ｍと、術者との間を仕切るように配置される。
飛沫飛散防止手段用アーム１８は、アーム１３と同様、多関節のバランスアームから成る。
【０１０３】
かかる構成によれば、歯科用治療ユニット１Ｅ（診療装置Ｓ５）は、診療椅子１１と、診療用無影灯２と、患者Ｍと、術者との空間に、飛沫飛散防止手段１９（遮蔽板１９１）を配置している。このため、遮蔽板１９１は、患者Ｍの口腔Ｍａと、術者の顔面との空間を仕切って、両者の飛沫感染を防止することができる。また、診療装置Ｓ４は、遠紫外線Ｃ波発生手段４を、診療用無影灯２と一体的に、または、診療用無影灯２の近傍に設けているので、患者Ｍの口腔近傍のウイルス等を遠紫外線Ｃ波発生手段４によって殺菌することができる。
【０１０４】
［その他の変形例］
前記実施形態では、患者Ｍ（図６参照）の体温を検出する装置として図２に示すサーモカメラ２７を使用した場合を説明したが、これに限定されるものではない。例えば、実施形態で説明したサーモカメラ２７は、患者Ｍから離れた位置から患者Ｍの体温を検出可能な体温検出センサであればよく、サーモカメラ２７に限定するものではない。
【０１０５】
また、図２に示すモード切換手段２６は、把持部２３に設置することに限定されるものではない。モード切換手段２６は、診療用無影灯２の筐体２１に設けてもよいし、図１に示す歯科用診療装置１００のドクターテーブル５に設けたスイッチや、フットスイッチ（図示省略）であってもよい。また、診療用無影灯２や、ドクターテーブル５に設けたモード切換手段２６の場合は、非接触スイッチであってもよい。
【０１０６】
また、モード切換手段２６は、図１に示すように、スマートフォン６等に専用ソフトをインストールして、スマートフォン６から成るリモート操作式のモード切換手段６１でもよい。スマートフォン６を使用したモード切換手段６１の場合は、自分専用になるのでウイルス等の感染のリスクを減らすことができる。
【０１０７】
また、モード切換手段２６は、室温、平熱、平熱でない場合を三段階に分けて、モードを切り換えてもよい。サーモカメラ２７で検出した患者Ｍ（図６参照）の体温が平熱の場合は、制御装置によって自動的に通常診療モードに切り換える。サーモカメラ２７で検出した患者Ｍの体温が平熱でない場合は、制御装置によって遠紫外線Ｃ波診療モードに自動的に切り換える。また、サーモカメラ２７で検出した診療器具の温度が室温の場合は、診療器具殺菌モードに自動で切り換えるようにしてもよい。
【０１０８】
また、図２に示す患者検知センサ２８は、このセンサの代わりに、サーモカメラ２７を使用して患者Ｍ（図６参照）を検出してもよい。
【０１０９】
また、図１に示すように、歯科用診療装置１００は、報知手段５２を設けた場合を説明したが、報知手段５２は無くてもよい。その場合は、モード切換手段２６，５１，６１は、報知手段５２による報知無しに、遠紫外線Ｃ波発生手段４で遠紫外線Ｃ波を発生するように自動的に切り換えてもよい。
【符号の説明】
【０１１０】
１，１Ｅ  歯科用診療装置
２，２Ａ，２Ｃ，２Ｄ  診療用無影灯
４，４Ａ，４Ｂ，２Ｃ，２Ｄ  遠紫外線Ｃ波発生手段
５      ドクターテーブル
１１    診療椅子
１４，２８  患者検知センサ
１９    飛沫飛散防止手段
２６，５１，６１  モード切換手段
２７    サーモカメラ
４５Ａ  遠紫外線Ｃ波照射野可変手段
４５Ｃ  遠紫外線Ｃ波照射野可変手段またはコーン
４６Ｂ  遠紫外線Ｃ波照射角度調整機構
５２    報知手段
５３    遠紫外線Ｃ波の照射時間設定手段
１９１  遮蔽板
Ｍ      患者
Ｍａ    口腔
Ｍｂ    鼻孔
Ｐ１，Ｐ２    照射野
Ｓ，Ｓ５  診療装置
【要約】
【課題】治療中の感染患者からの飛散した飛散物、あるいは、治療前後の診療器具に付着した飛散物に対して人体に安全な遠紫外線Ｃ波を使って殺菌することができる診療装置を提供すること。
【解決手段】診療装置Ｓは、少なくとも診療椅子１１と、診療用無影灯２と、を有している。診療装置Ｓは、波長が１９０ｎｍ乃至２３０ｎｍのいずれかの波長の、または、前記いずれかの波長を含む遠紫外線Ｃ波発生手段４を備えている。遠紫外線Ｃ波発生手段４は、診療用無影灯２と一体的に設置、または、診療用無影灯２の近傍に設置されている。
【選択図】図１【図１】
0006949394.tif 000002
【図２】
0006949394.tif 000003
【図３】
0006949394.tif 000004
【図４Ａ】
0006949394.tif 000005
【図４Ｂ】
0006949394.tif 000006
【図５Ａ】
0006949394.tif 000007
【図５Ｂ】
0006949394.tif 000008
【図６】
0006949394.tif 000009
【図７】
0006949394.tif 000010
【図８】
0006949394.tif 000011
【図９Ａ】
0006949394.tif 000012
【図９Ｂ】
0006949394.tif 000013
【図１０】
0006949394.tif 000014
【図１１】
0006949394.tif 000015
【図１２】
0006949394.tif 000016
【図１３】
0006949394.tif 000017
【図１４】
0006949394.tif 000018